(57)【要約】【課題】種々の波長について効率良くＬＥＤの光を集光する。【解決手段】いずれもが中央の一点に向けて照射する状態で当該中央の一点を同一平面上で取り囲むように配置された複数のＬＥＤ光源２１と、各ＬＥＤ光源２１が配置された平面に対する法線方向に各ＬＥＤ光源２１の集中した光線を発する光学素子３０とを備え、光学素子３０は、中央の一点となる位置に配置され、その中心線が中央の一点を通過する円錐面又は多角錐面状の反射面３４を備える。【選択図】              図１
2005055199.tif 000002
【特許請求の範囲】
【請求項１】
いずれもが中央の一点に向けて照射する状態で当該中央の一点を同一平面上で取り囲むように配置された複数のＬＥＤ光源と、
前記各ＬＥＤ光源が配置された平面に対して垂直方向に前記各ＬＥＤ光源の発する光を偏向させ集光させる光学素子とを備え、
前記光学素子は、当該光学素子の中心線が、前記中央の一点を通り、前記平面に垂直となるように配置され、円錐形又は多角錐形状の反射面を備えることを特徴とするＬＥＤ照明装置。
【請求項２】
前記光学素子はプリズムであることを特徴とする請求項１記載のＬＥＤ照明装置。
【請求項３】
前記プリズムは、前記中央の一定を中心とし、前記平面に垂直な円柱形の入光面を備えることを特徴とする請求項２記載のＬＥＤ照明装置。
【請求項４】
前記プリズムは、前記各ＬＥＤ光源が配置された平面上において前記中央の一点を中心とする円の円周に接すると共に前記平面に垂直な複数の平面部からなる入光面を備えることを特徴とする請求項２記載のＬＥＤ照明装置。
【請求項５】
前記光学素子はミラーであることを特徴とする請求項１記載のＬＥＤ照明装置。
【発明の詳細な説明】
【０００１】
【発明の属する技術分野】
本発明は、ＬＥＤ照明装置に関するものである。
【０００２】
【従来の技術】
分光分析装置１００は、図１３に示すように、試料が入れられたキュベット１０１に対して上方から所定波長の照射光を照射する光源１０２と、光源１０２の点灯を制御する点灯回路１０３と、キュベット１０１の下方で入射される光強度を検出する受光素子１０４と、受光素子１０４の出力をＡ／Ｄ変換器１０５を介して受信すると共にその処理を行う信号処理回路１０６とを備えている。
【０００３】
また、他の分光分析装置１１０では、図１４に示すように、試料が入れられたキュベット１１１に対して所定波長の照射光を照射する光源１１２と、光源１１２の光源の点灯を制御する点灯回路１１３と、キュベット１１１において反射される光強度を検出する受光素子１１４と、受光素子１１４の出力をＡ／Ｄ変換器１１５を介して受信すると共にその処理を行う信号処理回路１１６とを備えている（例えば、非特許文献１，２参照）。
【０００４】
上記各分光分析装置１００，１１０では、光源１０２，１１２としてタングステンハロゲンランプやキセノンランプ等を使用していた。しかし、これらの光源は、単波長光を直接出射するものではないので、図１５に示す照明装置１２０が必須となっていた。この照明装置１２０は、上記タングステンハロゲンランプやキセノンランプ等の光源１２１と、光源１２１からの出射光をチョッピングするチョッパーホィール１２２と、チョッピングによりパルス化した出射光を平行化するコンデンサーレンズ１２３と、平行化された出射光から熱成分を除去する熱吸収フィルタ１２４と、熱成分を除去され得た出射光を単波長化する干渉フィルタ１２６を有する干渉フィルタホィール１２５とを備えている。
即ち、上記各分光分析装置１００，１１０では、上記照明装置１２０により得られる単波長のパルス光を利用していた。
【０００５】
【非特許文献１】
日本工業規格  ＪＩＳ  Ｋ０１１５    吸光光度分析通則  ｐ．２
【非特許文献２】
日本工業規格  ＪＩＳ  Ｋ０１２０    蛍光光度分析方法通則  ｐ．２
【０００６】
【発明が解決しようとする課題】
しかしながら、上記従来の照明装置は、光源の熱成分カットのための熱吸収フィルタやパルス点灯のためのチョッパーホィール、干渉フィルタなど、単波長のパルス光を取り出すまでに多くの部品を必要とし、するという不都合があった。
さらに、熱成分の取り扱いによっては、分析装置自体に与えるダメージも考慮して冷却ファンの設置等も必要となっていた。
また、キセノンランプを使用する場合には、専用電源が必要であり、レーザー光源も同様に取り扱いが難しく、高価である。
【０００７】
一方、近年ＬＥＤのバリエーションが増え、画像処理や、検査装置、屋外の道路照明や卓上電気スタンドにいたるまで、従来の白熱電球や蛍光灯に代わる光源として応用される傾向にある。また、今まで特定の波長の光を必要とする測定機器にも使用可能なＬＥＤの波長が現れてきた。
しかし、ＬＥＤは紫外域など波長によっては輝度の小さいものも多く、単体よりも複数個使用しなければ十分な光量を確保できない場合がある。仮に平面状に複数個のＬＥＤを並べたとしても、光の照射面積の増大を招くため、所定領域内での十分な光量確保が難しかった。
【０００８】
本発明は、上記の事情に鑑み、種々の波長について効率良くＬＥＤの光を集光するＬＥＤ照明装置を提供することをその目的とする。
【０００９】
【課題を解決するための手段】
請求項１記載の発明は、いずれもが中央の一点に向けて照射する状態で当該中央の一点を同一平面上で取り囲むように配置された複数のＬＥＤ光源と、各ＬＥＤ光源が配置された平面に対して垂直方向に各ＬＥＤ光源の発する光を偏向させ集光させる光学素子とを備え、光学素子は、当該光学素子の中心線が、中央の一点を通り、平面に垂直となるように配置され、円錐形又は多角錐形状の反射面を備える、という構成を採っている。
【００１０】
上記構成では、複数のＬＥＤ光源はいずれも光学素子に向けて照射を行い、光学素子は、その円錐面又は多角錐面状の反射面により周囲からの照射光をその中心線に沿った方向に反射する。これにより、各ＬＥＤ光源の照射光は、反射面の中心線に沿った光束となり、当該中心線の延長線上にある照射対象物を強力な光量で照射することが出来る。
【００１１】
請求項２記載の発明は、請求項１記載の発明と同様の構成を備えると共に、光学素子をプリズムとする、という構成を採っている。
かかる構成では、各ＬＥＤ光源の照射光が、透光性材料で形成されたプリズム内部を通って反射面に到達し、出射されるため、各ＬＥＤ光源の照射光を効率良く照射対象物に導くことができる。
また、透光性材料に対する加工により反射面を形成することが出来、その形成を容易とすることができる。
【００１２】
請求項３記載の発明は、請求項２記載の発明と同様の構成を備えると共に、プリズムは、中央の一定を中心とし、平面に垂直な円柱形の入光面を備える、という構成を採っている。
かかる構成では、反射面の円錐形又は多角錐形の外接円のいずれかの半径に沿って各ＬＥＤ光源から照射光が入射面に入射し、その円錐面又は多角錐面状の反射面により周囲からの照射光をその中心線に沿った方向に反射する。
【００１３】
請求項４記載の発明は、請求項２記載の発明と同様の構成を備えると共に、各ＬＥＤ光源が配置された平面上において中央の一点を中心とする円の円周に接すると共に平面に垂直な複数の平面部からなる入光面を備える、という構成を採っている。
かかる構成では、反射面の円錐形又は多角錐形の外接円のいずれかの半径に沿って各ＬＥＤ光源から各入射面に垂直に照射光が入射し、その円錐面又は多角錐面状の反射面により周囲からの照射光をその中心線に沿った方向に反射する。
【００１４】
請求項５記載の発明は、請求項１記載の発明と同様の構成を備えると共に、光学素子はミラーである、という構成を採っている。
かかる構成では、各ＬＥＤ光源の照射光が、ミラーからなる反射面に到達し、出射される。
このように、光学素子をミラーとした場合、当該光学素子を反射面たる円錐又は角錐自体の大きさとすることができる。
【００１５】
【発明の実施の形態】
［第一実施形態］
（実施形態の全体構成）
本発明の第一実施形態たる分光分析装置１０について図１及び図２に基づいて説明する。図１は分光分析装置１０の概略構成を示すブロック図である。
分光分析装置１０は、図１に示すように、試料が入れられたキュベット１１に対して上方から所定波長の照射光を照射するＬＥＤ照明装置２０と、ＬＥＤ照明装置２０の光源たる複数のＬＥＤ光源２１の点灯を制御する点灯回路１２と、キュベット１１の下方で入射される光強度を検出する受光素子１３と、受光素子１３の出力をＡ／Ｄ変換器１４を介して受信すると共にその処理を行う信号処理回路１５とを備えている。
【００１６】
上記キュベット１１は、透明素材からなる液体又は気体の試料を封入する容器であり、照射光の光路帳を変化させない構造となっている。
点灯回路１２は、各ＬＥＤ光源２１の照明用電力供給を行う電源回路であって、外部指令に応じて各ＬＥＤ光源２１の点灯及び消灯を行う。
【００１７】
受光素子１３は、キュベット１１の透過光を受光して、その入射光の光強度に応じた信号を出力するものであって、例えば、光電子増倍管、光電池、光伝導セル、ホトダイオード、光電管等が使用される。
Ａ／Ｄ変換器１４は、受光素子１３から出力されるアナログ信号をデジタル信号に変換する処理を行う。
信号処理回路１５は、Ａ／Ｄ変換器１４介して受信する受光素子１３の出力に基づいて、試料の吸光度又は蛍光の光強度を算出する。また、その算出結果を図示しない表示手段により表示制御を行う。
【００１８】
（ＬＥＤ照明装置）
照明装置２０は、いずれもが中央の一点に向けて照射する状態で当該中央の一点を同一平面上で取り囲むように配置された複数のＬＥＤ光源２１と、各ＬＥＤ光源２１が配置された平面に対する法線方向に各ＬＥＤ光源２１の集中した光線を発する光学素子としてのプリズム３０と、各ＬＥＤ光源２１及びプリズム３０を保持する枠体２２とを備えている。
上記各ＬＥＤ光源２１は、いずれも、分光分析の使用に必要な単波長光を出射するものが使用される。
【００１９】
枠体２２は、互いに同一大で正方形状の天板２３と底板２４とからなり、底板２４の中央部にはプリズム３０を嵌め込むための円形貫通穴２４ａが設けられている。そして、この円形貫通穴２４ａにプリズム３０を嵌め込んだ状態で、円形貫通穴２４ａと同心となる円周上に複数のＬＥＤ光源２１を均一角度間隔で配置し、底板２４と天板２３とで挟み込むように、各ＬＥＤ光源２１及びプリズム３０を保持している。
また、底板２４には、点灯回路１２により各ＬＥＤ光源２１を点灯させるための配線が付されている。
なお、枠体２２は後述するプリズム３０からの照射光の出射面３５を除いて各ＬＥＤ光源２１及びプリズム３０を外部光から遮断する密閉容器としても良い。
【００２０】
図２はプリズムの斜視図である。図１，２に示すように、プリズム３０は、円柱状部３１とその上端部に設けられたより大径の円柱状部３２とを備え、これらが光透過素材（例えばガラス）により一体的に成形されて構成されている。この円柱状部３１と円柱状部３２とは同心であると共に、円柱状部３１が前述した底板２４の円形貫通穴２４ａに挿通され、円柱状部３２は天板２３と底板２４とに挟まれて保持される。
【００２１】
また、前述した各ＬＥＤ光源２１はいずれも円柱状部３２の中心点に向かって照射を行うように配置されている。つまり、プリズム３０は、円柱状部３２の周囲の周面が各ＬＥＤ光源２１からの出射光の入光面３３となっている。
さらに、円柱状部３２の上面中心部には、当該円柱状部３２と同心となる円錐形状の凹部が形成されており、その円錐面が各ＬＥＤ光源２１からの入射光の反射面３４となっている。
この円錐面からなる反射面３４は、その中心線に対する傾斜角度が４５°に設定されている。これにより、各ＬＥＤ光源２１から円柱状部３２の半径に沿って入射する入射光をその中心線に沿って下方に反射して偏向することができる。なお、反射面３４を形成する凹部の開口端部の径は、各入射光の反射光をより集光するために円柱状部３１の外径以下とすることが望ましく、各入射光が反射面３４に反射させることが可能な範囲でより小さくすることがより望ましい。
また、反射面３４は、プリズム３０を形成する光透過性材料の屈折率によっては、そのままで入射光を反射することも可能であるが、外部からより反射率の良い材料からなる膜を成膜しても良い。
【００２２】
プリズム３０は、上記反射面３４を設けることにより、各ＬＥＤ光源２１からの入射光を垂直下方に反射する。従って、円柱状部３１は、反射光の導光路となり、その下端面は集光された反射光の出射面３５となる。
【００２３】
ＬＥＤ照明装置２０は、上記構成により、点灯する各ＬＥＤ光源２１の出射光が入光面３３からプリズム３０に入射し、その反射面３４によりプリズム３０の中心線に沿うように反射する。この反射面３４がプリズム３０の中心位置に設けられているので、各ＬＥＤ光源２１の入射光は、中心位置で集光された状態で反射され、集光状態で出射面３５から出射するため、例えば、各ＬＥＤ光源２１の一つ一つが小さい光量であっても、出射光は大きな光量を確保することができる。
【００２４】
（実施形態の動作及び作用）
上記構成からなる分光分析装置１０は、点灯回路１２からの通電により各ＬＥＤ光源２１が点灯し、その照射光はＬＥＤ照明装置２０により集光され、必要な光強度を確保した状態でキュベット１１内の試料を照射する。そして、その透過光が受光素子１３により受光される。
受光素子１３は、入射光の光強度に応じた出力を行い、Ａ／Ｄ変換器１４にてデジタル変換された出力信号から信号処理部１５は、試料の吸光度又は蛍光の光強度を算出すると共に、その結果を表示手段に表示する。
【００２５】
以上のように、分光分析装置１０のＬＥＤ照明装置２０は、複数のＬＥＤ光源２１を全て入光面３３から入射させ、プリズム３０の反射面３４によりその中心線に沿って集光して照射することができ、単体では光量の小さなＬＥＤ光源でも所望の単波長光で大きな光量で照射することが可能となる。
【００２６】
また、分光分析装置１０の光源としては特定の単波長光が必要となる場合が多いが、ＬＥＤ光源２１とプリズム３０とを有する簡易な構成により十分に光量を確保することが可能となるため、タングステンランプやハロゲンランプを使用する場合に必要となる各種のフィルタ、冷却装置等を不要とし、分光分析装置１０を全体的に小型且つ簡易な構成とすることが可能となる。
特に、ＬＥＤ照明装置２０は、複数のＬＥＤ光源２１及びプリズム３０を同一平面上に配置することから、より分光分析装置１０の薄型化、小型化を図ることが可能となる。
【００２７】
また、ＬＥＤ照明装置２０では、光学素子としてプリズム３０を使用しているため、各ＬＥＤ光源２１の照射光が、透光性材料で形成されたプリズム３０の内部を通って反射面３４に到達し、出射されるため、各ＬＥＤ光源２１の照射光を効率良く試料に導くことが可能となる。また、周囲の他の光の影響を低減することが容易となる。
特に、プリズム３０については、その入光面３３、反射面３４、出射面３５以外については、光を透過しない素材の被膜を成膜することにより、より外部光の影響を低減することが可能となる。また、入光面３３、出射面３５以外について光反射性の素材の被膜を成膜することにより、プリズム３０への入射光をより効率良く出射することが可能となる。
また、光学素子としてプリズム３０を使用しているため、プリズム形成材料に対する加工により反射面３４を形成することが出来るため、その形成を容易とし、装置の生産性の向上を図ることが可能となる。
【００２８】
（プリズムのその他の形態例）
プリズムの形状については、上述したものに限定されるものではない。例えば、図３に示すように、その全体形状が円柱状で、上部に円錐面からなる反射面３４Ａを備えるプリズム３０Ａを使用しても良い。この場合、その上部の周面が入光面となり、その底面が出射面となる。
このプリズム３０Ａの場合もプリズム３０と同様に、図４に示すように、各ＬＥＤ光源２１の照射する中心位置に配置される。
【００２９】
また、図５に示すように、正四角柱状部３１Ｂとその上端部に設けられたより一辺がより大きな正四角板柱部３２Ｂとを一体的に成形されてなるプリズム３０Ｂを使用しても良い。このプリズム３０Ｂは、正四角柱状部３１Ｂと正四角板柱部３２Ｂとは、その中心線が一致している。また、正四角板柱部３２Ｂの中心には正四角錐面からなる反射面３４Ｂが形成されている。このプリズム３０Ｂの場合は、正四角板柱部３２Ｂの四方の側面が入光面３３Ｂとなり、正四角板柱部３２Ｂの底面が出射面となる。
【００３０】
また、図６に示すように、その全体形状が正四角柱状で、上部に正四角錐面からなる反射面３４Ｃを備えるプリズム３０Ｃを使用しても良い。この場合、その四角柱の四側面の上部が入光面となり、その底面が出射面となる。
なお、プリズム３０Ｂ及び３０Ｃについては、正四角柱又は正四角錐形状に限らず、正多角柱又は正多角錐形状であっても良い。
これらの図３〜５に示す各プリズム３０Ａ，３０Ｂ，３０Ｃについても前述したプリズム３０と同様に機能し、同様の効果を得ることができる。
【００３１】
（プリズム以外の光学素子の例）
また、ＬＥＤ照明装置２０の光学素子はプリズムに限定されるものではない。
例えば、図７に示すような円錐体の円錐面に沿って形成されたミラー３０Ｄであっても良い。かかるミラー３０Ｄは、図８，９に示すように、各ＬＥＤ光源２１の中心位置において、その円錐形状の中心線が各ＬＥＤ光源２１が配置された底板２４に対して垂直となるように且つその先端部が下方に向けられて配設される。
かかるミラー３０Ｄも、前述したプリズム３０と同様に機能し、同様の効果を得ることができると共にその円錐自体の大きさとすることができ、ＬＥＤ照明装置２０をより小型化することができる。
【００３２】
また、上記ミラー３０Ｄに代えて、図１０に示すように、正四角錘体の四角錐面に沿って形成されたミラー３０Ｅを使用しても良い。かかるミラー３０Ｅも、各ＬＥＤ光源２１の中心位置において、その正四角錐形状の中心線が各ＬＥＤ光源２１が配置された底板２４に対して垂直となるように且つその先端部が下方に向けられて配設される。
なお、ミラー３０Ｅについては、正四角錐形状に限らず、正多角錐形状であっても良い。
【００３３】
［第二実施形態］
本発明の第二の実施形態について図１１に基づいて説明する。本実施形態たる分光分析装置１０Ｆについて前述した分光分析装置１０と同一の構成については同符号を付して重複する説明は省略し、異なる点のみを説明するものとする。
この分光分析装置１０Ｆは、キュベット１１に入れられた試料に対して斜め上方から照射光を照射し、その反射光を受光素子１３により受光する点が分光分析装置１０と異なっている。従って、キュベット１１に対して斜め上方にＬＥＤ照明装置２０が配設され、受光素子１３は、その対称位置となる斜め上方に受光面をキュベット１１に向けて配設されている。
【００３４】
上記構成からなる分光分析装置１０Ｆは、点灯回路１２からの通電により各ＬＥＤ光源２１が点灯し、その照射光はＬＥＤ照明装置２０により集光され、必要な光強度を確保した状態でキュベット１１内の試料を斜め上方から照射する。そして、その反射光が受光素子１３により受光される。
受光素子１３は、入射光の光強度に応じた出力を行い、Ａ／Ｄ変換器１４にてデジタル変換された出力信号から信号処理部１５は、試料の吸光度又は蛍光の光強度を算出すると共に、その結果を表示手段に表示する。
そして、上記構成からなる分光分析装置１０Ｆも分光分析装置１０と同様の効果を得ることが出来る。
【００３５】
［第三実施形態］
本発明の第三の実施形態について図１２に基づいて説明する。本実施形態たる分光分析装置１０Ｇについて前述した分光分析装置１０と同一の構成については同符号を付して重複する説明は省略し、異なる点のみを説明するものとする。
この分光分析装置１０Ｇは、複数のキュベット１１と、それに対応する複数の受光素子１３と、各キュベット１１内の試料に対してＬＥＤ照明装置２０からの出射光を個別に照射し、その透過光を個別に各受光素子に受光させる光学系４０Ｇを備えている点が分光分析装置１０と異なっている。
【００３６】
上記光学系４０Ｇは、ＬＥＤ照明装置２０からの出射光を個別に各キュベット１１に導く光ファイバ４１Ｇと、各光ファイバ４１Ｇの出射端部において各キュベット１１に対して集光を行う集光レンズ４２Ｇと、各キュベット１１の透過光を各受光素子１３に集光する集光レンズ４３Ｇとを備えている。
【００３７】
上記構成からなる分光分析装置１０Ｇは、点灯回路１２からの通電により各ＬＥＤ光源２１が点灯し、その照射光はＬＥＤ照明装置２０により集光され、必要な光強度を確保した状態で各光ファイバ４１Ｇの受光側端部に集光光を照射する。各光ファイバ４１Ｇは、個別にその出射端部から集光レンズ４２Ｇを介して各キュベット１１内の試料を照射する。そして、各キュベット１１の透過光が集光レンズ４３Ｇにより各受光素子１３に集光されて受光される。
各受光素子１３は、入射光の光強度に応じた出力を行い、Ａ／Ｄ変換器１４にてデジタル変換された出力信号から信号処理部１５は、各試料の吸光度又は蛍光の光強度を算出すると共に、その結果を表示手段に表示する。
【００３８】
ＬＥＤ照明装置２０は、前述の構成から複数のＬＥＤ光源２１により光強度の大きな出射光を照射することが出来るため、このように、光学系４０Ｇを用いて一度に複数の試料に対して所定の単波長光を照射することが可能である。
そして、上記構成からなる分光分析装置１０Ｇも分光分析装置１０と同様の効果を得ることが出来ると共に、複数の試料について一度に効率的に分析を行うことが可能である。
【００３９】
【発明の効果】
本発明は、複数のＬＥＤ光源を全て光学素子に向け、当該光学素子は円錐面又は多角錐面状の反射面を有するため、各ＬＥＤ光源の照射光を円錐面又は多角錐面の中心線に沿って偏向させ集光させることができ、大きな光量で照射することが可能となる。
また、例えば分光分析装置の光源のように、特定の単波長光が必要となる場合であっても、従来のような構成が複雑で部品点数が多く大型な装置を不要とし、必要光量に応じた個体数のＬＥＤ光源と光学素子という小型且つ簡易な構成で必要となる大きな光量を確保することが可能となる。
即ち、種々の波長光について小型且つ簡易な構成で大きな光量の照射を行うことが可能となる。
また、複数のＬＥＤ光源は同一平面上に配置し、光学素子も同平面上に位置することから、さらなる装置の薄型化、小型化を図ることが可能となる。
【００４０】
光学素子としてプリズムを用いる場合には、各ＬＥＤ光源の照射光が、透光性材料で形成されたプリズム内部を通って反射面に到達し、反射偏向して出射されるため、各ＬＥＤ光源の照射光を効率良く照射対象物に導くことが可能となる。また、周囲の他の光の影響を排除することが容易となる。
また、透光性材料に対する加工により反射面を形成することが出来るため、その形成を容易とし、生産性の向上を図ることが可能となる。
【００４１】
光学素子としてミラーを用いる場合には、光学素子を反射面たる円錐又は角錐自体の大きさとすることができ、装置の簡易化及び小型化をより容易に実現することが可能となる。
【図面の簡単な説明】
【図１】第一の実施形態たる分光分析装置のブロック図である。
【図２】図１に開示されたプリズムの斜視図である。
【図３】プリズムの他の例を示す斜視図である。
【図４】図３のプリズムを搭載したＬＥＤ照明装置の断面図である。
【図５】プリズムのさらに他の例を示す斜視図である。
【図６】プリズムのさらに別の例を示す斜視図である。
【図７】他の光学素子としてのミラーの斜視図である。
【図８】図７のミラーを搭載したＬＥＤ照明装置の断面図である。
【図９】図７のミラーを搭載したＬＥＤ照明装置の平面図である。
【図１０】ミラーの他の例を示す斜視図である。
【図１１】第二の実施形態たる分光分析装置のブロック図である。
【図１２】第三の実施形態たる分光分析装置のブロック図である。
【図１３】従来の分光分析装置のブロック図である。
【図１４】他の従来の分光分析装置のブロック図である。
【図１５】従来の分光分析装置に使用される照明装置の概略斜視図である。
【符号の説明】
１０，１０Ｆ，１０Ｇ  分光分析装置
２０  ＬＥＤ照明装置
２１  ＬＥＤ光源
３０，３０Ａ，３０Ｂ，３０Ｃ  プリズム（光学素子）
３３，３３Ｂ  入光面
３４，３４Ａ，３４Ｂ，３４Ｃ  反射面
３０Ｄ，３０Ｅ  ミラー（光学素子）
【図１】
2005055199.tif 000003
【図２】
2005055199.tif 000004
【図３】
2005055199.tif 000005
【図４】
2005055199.tif 000006
【図５】
2005055199.tif 000007
【図６】
2005055199.tif 000008
【図７】
2005055199.tif 000009
【図８】
2005055199.tif 000010
【図９】
2005055199.tif 000011
【図１０】
2005055199.tif 000012
【図１１】
2005055199.tif 000013
【図１２】
2005055199.tif 000014
【図１３】
2005055199.tif 000015
【図１４】
2005055199.tif 000016
【図１５】
2005055199.tif 000017